(57)【特許請求の範囲】
【請求項１】
同軸上位置において対向状態で開口する第１吸込口（２Ａ）と第２吸込口（２Ｂ）のそれぞれから吹出口（３）に至る通風路（４１）中に、軸方向の両側に第１ファン吸入口（２３）と第２ファン吸入口（２４）とをそれぞれ備えた両吸込型の遠心ファン（Ｘ２，Ｘ３，Ｘ４，Ｘ５）を配置するとともに、該遠心ファン（Ｘ２，Ｘ３，Ｘ４，Ｘ５）のファン吹出口（２５）に臨んで熱交換器（１０）を配置し、上記第１吸込口（２Ａ）を外気導入路（１３）に、上記第２吸込口（２Ｂ）を室内空間に、それぞれ臨ませる一方、
上記遠心ファン（Ｘ２，Ｘ３，Ｘ４，Ｘ５）の内部空室（４２）内に、該内部空室（４２）を、上記第１吸込口（２Ａ）に臨む第１内部空室（４２Ａ）と上記第２吸込口（２Ｂ）に臨む第２内部空室（４２Ｂ）とに区画するとともに、該第１内部空室（４２Ａ）と第２内部空室（４２Ｂ）との容積比率を変更可能とする仕切板（３１）が備えられていることを特徴とする空気調和装置。
【請求項２】
同軸上位置において対向状態で開口する第１吸込口（２Ａ）と第２吸込口（２Ｂ）のそれぞれから吹出口（３）に至る通風路（４１）中に、軸方向の両側に第１ファン吸入口（２３）と第２ファン吸入口（２４）とをそれぞれ備えた両吸込型の遠心ファン（Ｘ２，Ｘ３，Ｘ４，Ｘ５）を配置するとともに、該遠心ファン（Ｘ２，Ｘ３，Ｘ４，Ｘ５）のファン吹出口（２５）に臨んで熱交換器（１０）を配置し、上記第１吸込口（２Ａ）を外気導入路（１３）に、上記第２吸込口（２Ｂ）を室内空間に、それぞれ臨ませる一方、
上記外気導入路（１３）が、上記第１吸込口（２Ａ）が設けられたケーシング（１）の壁面を二重壁（１Ａ，１Ｂ）として得られる壁間空間で構成されているとともに、
上記遠心ファン（Ｘ２，Ｘ３，Ｘ４，Ｘ５）の内部空室（４２）内に、該内部空室（４２）を、上記第１吸込口（２Ａ）に臨む第１内部空室（４２Ａ）と上記第２吸込口（２Ｂ）に臨む第２内部空室（４２Ｂ）とに区画するとともに、該第１内部空室（４２Ａ）と第２内部空室（４２Ｂ）との容積比率を変更可能とする仕切板（３１）が備えられていることを特徴とする空気調和装置。
【請求項３】
同軸上位置において対向状態で開口する第１吸込口（２Ａ）と第２吸込口（２Ｂ）のそれぞれから吹出口（３）に至る通風路（４１）中に、軸方向の両側に第１ファン吸入口（２３）と第２ファン吸入口（２４）とをそれぞれ備えた両吸込型の遠心ファン（Ｘ２，Ｘ３，Ｘ４，Ｘ５）を配置するとともに、該遠心ファン（Ｘ２，Ｘ３，Ｘ４，Ｘ５）のファン吹出口（２５）に臨んで熱交換器（１０）を配置し、上記第１吸込口（２Ａ）を外気導入路（１３）に、上記第２吸込口（２Ｂ）を室内空間に、それぞれ臨ませる一方、
上記外気導入路（１３）が、上記第１吸込口（２Ａ）部分をその外側から覆うように配置された通路形成部材（１２）によって構成されているとともに、
上記遠心ファン（Ｘ２，Ｘ３，Ｘ４，Ｘ５）の内部空室（４２）内に、該内部空室（４２）を、上記第１吸込口（２Ａ）に臨む第１内部空室（４２Ａ）と上記第２吸込口（２Ｂ）に臨む第２内部空室（４２Ｂ）とに区画するとともに、該第１内部空室（４２Ａ）と第２内部空室（４２Ｂ）との容積比率を変更可能とする仕切板（３１）が備えられていることを特徴とする空気調和装置。
【発明の詳細な説明】
【０００１】
【発明の属する技術分野】
【０００２】
本願発明は、換気機能を備えた空気調和装置に関するものである。
【従来の技術】
【０００３】
近年、空気調和装置においては、より快適な空調特性を得るという観点から、従来一般的な温度調整機能のみを備えた単機能型の空気調和装置に代わって、これに外気導入機能を付加した換気機能付きの空気調和装置に対するユーザーニーズが高まっている。
【０００４】
ところで、空気調和装置の中でも、特に送風ファンとして遠心ファンを適用するのが一般的である天井埋め込み型室内機においては、図１４に示す室内機Ｚ０１のように、ケーシング１０１の下面に設けられた吸込口１０２から吹出口１０３に至る通風路１００中に、モーター１０８により回転駆動される片吸込型の遠心ファンＸ０を配置し、該遠心ファンＸ０のファン吸入口を上記吸込口１０２に臨ませるとともに、該遠心ファンＸ０のファン吹出口２５に臨んで空気改質デバイス１０９及び熱交換器１１０を配置して構成される。そして、上記遠心ファンＸ０の運転により、上記吸込口１０２から吸い込んだ室内空気（リターン流Ａ０２）を上記熱交換器１１０での熱交換によって温度調整した後、これを室内へ吹き出すことで（吹出流Ａ３）、室内の暖房あるいは冷房を行うようになっている。
【０００５】
このような、温度調整のみの単機能の室内機Ｚ０１に換気機能を付加してこれを多機能化する場合には、図１５に示す室内機Ｚ０２のように、上記遠心ファンＸ０のファン吸入口側に位置するベルマウス１０７と上記ケーシング１０１の吸込口１０２に設けられたグリル１０４との間に、所定の容積をもつチャンバー１０５を設け、このチャンバー１０５に上記ケーシング１０１の側壁に形成した外気導入口１０６を介して新鮮な外気を導入し（外気流Ａ０１）、これを室内からのリターン流Ａ０２と混合し且つ温度調整した後、室内へ吹き出すように構成するのが通例であった。
【０００６】
尚、図１４及び図１５において符号１０９は、例えば空気改質デバイス等の空気改質部材である。
【発明が解決しようとする課題】
【０００７】
ところが、この室内機Ｚ０２のように、上記遠心ファンＸ０のファン吸入口側に設けた外気チャンバー１０５に外気を導入することで換気機能を発揮させるように構成したものにおいては、例えば、外気導入効率を高めるべく、上記外気導入口１０６へ供給される外気量を増大させたとしても、上記チャンバー１０５には上記吸込口１０２を通して上記遠心ファンＸ０側に吸い込まれるリターン流Ａ０２が存在していることから、該チャンバー１０５への外気の導入が抑制され、結果的に、外気導入を効率良く行うことが困難となる。
【０００８】
そこで本願発明では、遠心ファンを備えた空気調和装置において、外気導入を効率良く行うことで高い換気機能を確保し、もって多機能化による付加価値のより一層の向上を図ることを目的としてなされたものである。
【課題を解決するための手段】
【０００９】
本願発明ではかかる課題を解決するための具体的手段として次のような構成を採用している。
【００１０】
本願の第１の発明にかかる空気調和装置では、同軸上位置において対向状態で開口する第１吸込口２Ａと第２吸込口２Ｂのそれぞれから吹出口３に至る通風路４１中に、軸方向の両側に第１ファン吸入口２３と第２ファン吸入口２４とをそれぞれ備えた両吸込型の遠心ファンＸ２，Ｘ３，Ｘ４，Ｘ５を配置するとともに、該遠心ファンＸ２，Ｘ３，Ｘ４，Ｘ５のファン吹出口２５に臨んで熱交換器１０を配置し、上記第１吸込口２Ａを外気導入路１３に、上記第２吸込口２Ｂを室内空間に、それぞれ臨ませる一方、上記遠心ファンＸ２，Ｘ３，Ｘ４，Ｘ５の内部空室４２内に、該内部空室４２を、上記第１吸込口２Ａに臨む第１内部空室４２Ａと上記第２吸込口２Ｂに臨む第２内部空室４２Ｂとに区画するとともに、該第１内部空室４２Ａと第２内部空室４２Ｂとの容積比率を変更可能とする仕切板３１を備えたことを特徴としている。
【００１１】
本願の第２の発明にかかる空気調和装置では、同軸上位置において対向状態で開口する第１吸込口２Ａと第２吸込口２Ｂのそれぞれから吹出口３に至る通風路４１中に、軸方向の両側に第１ファン吸入口２３と第２ファン吸入口２４とをそれぞれ備えた両吸込型の遠心ファンＸ２，Ｘ３，Ｘ４，Ｘ５を配置するとともに、該遠心ファンＸ２，Ｘ３，Ｘ４，Ｘ５のファン吹出口２５に臨んで熱交換器１０を配置し、上記第１吸込口２Ａを外気導入路１３に、上記第２吸込口２Ｂを室内空間に、それぞれ臨ませる一方、上記外気導入路１３を、上記第１吸込口２Ａが設けられたケーシング１の壁面を二重壁１Ａ，１Ｂとして得られる壁間空間で構成するとともに、上記遠心ファンＸ２，Ｘ３，Ｘ４，Ｘ５の内部空室４２内に、該内部空室４２を、上記第１吸込口２Ａに臨む第１内部空室４２Ａと上記第２吸込口２Ｂに臨む第２内部空室４２Ｂとに区画するとともに、該第１内部空室４２Ａと第２内部空室４２Ｂとの容積比率を変更可能とする仕切板３１を備えたことを特徴としている。
【００１２】
本願の第３の発明にかかる空気調和装置では、同軸上位置において対向状態で開口する第１吸込口２Ａと第２吸込口２Ｂのそれぞれから吹出口３に至る通風路４１中に、軸方向の両側に第１ファン吸入口２３と第２ファン吸入口２４とをそれぞれ備えた両吸込型の遠心ファンＸ２，Ｘ３，Ｘ４，Ｘ５を配置するとともに、該遠心ファンＸ２，Ｘ３，Ｘ４，Ｘ５のファン吹出口２５に臨んで熱交換器１０を配置し、上記第１吸込口２Ａを外気導入路１３に、上記第２吸込口２Ｂを室内空間に、それぞれ臨ませる一方、上記外気導入路１３を、上記第１吸込口２Ａ部分をその外側から覆うように配置された通路形成部材１２によって構成するとともに、上記遠心ファンＸ２，Ｘ３，Ｘ４，Ｘ５の内部空室４２内に、該内部空室４２を、上記第１吸込口２Ａに臨む第１内部空室４２Ａと上記第２吸込口２Ｂに臨む第２内部空室４２Ｂとに区画するとともに、該第１内部空室４２Ａと第２内部空室４２Ｂとの容積比率を変更可能とする仕切板３１を備えたことを特徴としている。
【発明の効果】
【００１３】
本願発明ではかかる構成とすることにより次のような効果が得られる。
【００１４】
（イ）  本願の第１の発明にかかる空気調和装置によれば、同軸上位置において対向状態で開口する第１吸込口２Ａと第２吸込口２Ｂのそれぞれから吹出口３に至る通風路４１中に、軸方向の両側に第１ファン吸入口２３と第２ファン吸入口２４とをそれぞれ備えた両吸込型の遠心ファンＸ２，Ｘ３，Ｘ４，Ｘ５を配置するとともに、該遠心ファンＸ２，Ｘ３，Ｘ４，Ｘ５のファン吹出口２５に臨んで熱交換器１０を配置し、上記第１吸込口２Ａを外気導入路１３に、上記第２吸込口２Ｂを室内空間に、それぞれ臨ませているので、上記遠心ファンＸ２，Ｘ３，Ｘ４，Ｘ５が回転駆動されると、該遠心ファンＸ２，Ｘ３，Ｘ４，Ｘ５には、その第１吸込口２Ａ側に上記外気導入路１３を介して外気が吸い込まれると同時に、その第２吸込口２Ｂ側には室内からのリターン空気が吸い込まれ、これら両者は混合して上記熱交換器１０において温度調整された後、室内へ吹き出される。
【００１５】
従って、この発明にかかる空気調和装置においては、上記遠心ファンＸ２，Ｘ３，Ｘ４，Ｘ５を両吸込型遠心ファンで構成することで、外気導入による室内の換気と室内の空調作用とが並行して行われ、より快適な空調特性が実現されるものであり、しかもかかる効果は、上記遠心ファンＸ２，Ｘ３，Ｘ４，Ｘ５における外気の吸込経路と室内空気の吸込経路とが異なりこれら両者間での干渉が可及的に排除されていることで、例えば既述した従来の換気機能付き空気調和装置のように室内空気の吸込によって外気導入が影響を受けるようなこともないことから、より一層確実ならしめられ、これらの相乗効果として、空気調和装置の多機能化による付加価値がより一層高められるものである。
【００１６】
また、この発明にかかる空気調和装置において、上記第１吸込口２Ａと第２吸込口２Ｂとが共に上記吹出口３に連通しているので、例え該第１吸込口２Ａと第２吸込口２Ｂの吸込流量に差があったとしても、特段、上記遠心ファンＸ２，Ｘ３，Ｘ４，Ｘ５内に機械的な風量可変手段を付設しなくても、上記羽根２０が有効に作動し、低騒音で且つ高効率の良好な換気特性を安価な構成で且つ容易に実現することができるものである。
【００１７】
さらに、上記遠心ファンＸ２，Ｘ３，Ｘ４，Ｘ５の内部空室４２内に、該内部空室４２を、上記第１吸込口２Ａに臨む第１内部空室４２Ａと上記第２吸込口２Ｂに臨む第２内部空室４２Ｂとに区画するとともに、該第１内部空室４２Ａと第２内部空室４２Ｂとの容積比率を変更可能とする仕切板３１を備えているので、上記第１吸込口２Ａから吸い込まれる外気量と上記第２吸込口２Ｂから吸い込まれる室内からのリターン空気量との比率、即ち、空調運転時における換気特性が、上記仕切板３１の設定位置、即ち、該仕切板３１により区画された上記第１吸込口２Ａ側の第１内部空室４２Ａと上記第２吸込口２Ｂ側の第２内部空室４２Ｂとの容積比により任意に且つ容易に設定可能であり、より快適な空調が実現されるとともに、上記仕切板３１によって上記第１内部空室４２Ａ側を流れる外気と上記第２内部空室４２Ｂ側を流れるリターン空気との間での相互干渉が防止されることで該外気量とリターン空気量との比率に支配される換気特性がより安定的に確保されるものである。
【００１８】
（ロ）  本願の第２の発明にかかる空気調和装置によれば、同軸上位置において対向状態で開口する第１吸込口２Ａと第２吸込口２Ｂのそれぞれから吹出口３に至る通風路４１中に、軸方向の両側に第１ファン吸入口２３と第２ファン吸入口２４とをそれぞれ備えた両吸込型の遠心ファンＸ２，Ｘ３，Ｘ４，Ｘ５を配置するとともに、該遠心ファンＸ２，Ｘ３，Ｘ４，Ｘ５のファン吹出口２５に臨んで熱交換器１０を配置し、上記第１吸込口２Ａを外気導入路１３に、上記第２吸込口２Ｂを室内空間に、それぞれ臨ませているので、上記遠心ファンＸ２，Ｘ３，Ｘ４，Ｘ５が回転駆動されると、該遠心ファンＸ２，Ｘ３，Ｘ４，Ｘ５には、その第１吸込口２Ａ側に上記外気導入路１３を介して外気が吸い込まれると同時に、その第２吸込口２Ｂ側には室内からのリターン空気が吸い込まれ、これら両者は混合して上記熱交換器１０において温度調整された後、室内へ吹き出される。
【００１９】
従って、この発明にかかる空気調和装置においては、上記遠心ファンＸ２，Ｘ３，Ｘ４，Ｘ５を両吸込型遠心ファンで構成することで、外気導入による室内の換気と室内の空調作用とが並行して行われ、より快適な空調特性が実現されるものであり、しかもかかる効果は、上記遠心ファンＸ２，Ｘ３，Ｘ４，Ｘ５における外気の吸込経路と室内空気の吸込経路とが異なりこれら両者間での干渉が可及的に排除されていることで、例えば既述した従来の換気機能付き空気調和装置のように室内空気の吸込によって外気導入が影響を受けるようなこともないことから、より一層確実ならしめられ、これらの相乗効果として、空気調和装置の多機能化による付加価値がより一層高められるものである。
【００２０】
また、この発明にかかる空気調和装置において、上記第１吸込口２Ａと第２吸込口２Ｂとが共に上記吹出口３に連通しているので、例え該第１吸込口２Ａと第２吸込口２Ｂの吸込流量に差があったとしても、特段、上記遠心ファンＸ２，Ｘ３，Ｘ４，Ｘ５内に機械的な風量可変手段を付設しなくても、上記羽根２０が有効に作動し、低騒音で且つ高効率の良好な換気特性を安価な構成で且つ容易に実現することができるものである。
【００２１】
さらに、この発明にかかる空気調和装置においては、上記外気導入路１３を、上記第１吸込口２Ａが設けられたケーシング１の壁面を二重壁１Ａ，１Ｂとして得られる壁間空間で構成しているので、例えば上記外気導入路１３としてそれ専用のダクト部材を配置する場合に比して、該外気導入路１３をよりコンパクトに且つ安価に得ることができ、それだけ空気調和装置の低コスト化が促進されるものである。
【００２２】
また、この発明にかかる空気調和装置においては、上記遠心ファンＸ２，Ｘ３，Ｘ４，Ｘ５の内部空室４２内に、該内部空室４２を、上記第１吸込口２Ａに臨む第１内部空室４２Ａと上記第２吸込口２Ｂに臨む第２内部空室４２Ｂとに区画するとともに、該第１内部空室４２Ａと第２内部空室４２Ｂとの容積比率を変更可能とする仕切板３１を備えているので、上記第１吸込口２Ａから吸い込まれる外気量と上記第２吸込口２Ｂから吸い込まれる室内からのリターン空気量との比率、即ち、空調運転時における換気特性が、上記仕切板３１の設定位置、即ち、該仕切板３１により区画された上記第１吸込口２Ａ側の第１内部空室４２Ａと上記第２吸込口２Ｂ側の第２内部空室４２Ｂとの容積比により任意に且つ容易に設定可能であり、より快適な空調が実現されるとともに、上記仕切板３１によって上記第１内部空室４２Ａ側を流れる外気と上記第２内部空室４２Ｂ側を流れるリターン空気との間での相互干渉が防止されることで該外気量とリターン空気量との比率に支配される換気特性がより安定的に確保されるものである。
【００２３】
（ハ）  本願の第３の発明にかかる空気調和装置によれば、同軸上位置において対向状態で開口する第１吸込口２Ａと第２吸込口２Ｂのそれぞれから吹出口３に至る通風路４１中に、軸方向の両側に第１ファン吸入口２３と第２ファン吸入口２４とをそれぞれ備えた両吸込型の遠心ファンＸ２，Ｘ３，Ｘ４，Ｘ５を配置するとともに、該遠心ファンＸ２，Ｘ３，Ｘ４，Ｘ５のファン吹出口２５に臨んで熱交換器１０を配置し、上記第１吸込口２Ａを外気導入路１３に、上記第２吸込口２Ｂを室内空間に、それぞれ臨ませているので、上記遠心ファンＸ２，Ｘ３，Ｘ４，Ｘ５が回転駆動されると、該遠心ファンＸ２，Ｘ３，Ｘ４，Ｘ５には、その第１吸込口２Ａ側に上記外気導入路１３を介して外気が吸い込まれると同時に、その第２吸込口２Ｂ側には室内からのリターン空気が吸い込まれ、これら両者は混合して上記熱交換器１０において温度調整された後、室内へ吹き出される。
【００２４】
従って、この発明にかかる空気調和装置においては、上記遠心ファンＸ２，Ｘ３，Ｘ４，Ｘ５を両吸込型遠心ファンで構成することで、外気導入による室内の換気と室内の空調作用とが並行して行われ、より快適な空調特性が実現されるものであり、しかもかかる効果は、上記遠心ファンＸ２，Ｘ３，Ｘ４，Ｘ５における外気の吸込経路と室内空気の吸込経路とが異なりこれら両者間での干渉が可及的に排除されていることで、例えば既述した従来の換気機能付き空気調和装置のように室内空気の吸込によって外気導入が影響を受けるようなこともないことから、より一層確実ならしめられ、これらの相乗効果として、空気調和装置の多機能化による付加価値がより一層高められるものである。
【００２５】
また、この発明にかかる空気調和装置において、上記第１吸込口２Ａと第２吸込口２Ｂとが共に上記吹出口３に連通しているので、例え該第１吸込口２Ａと第２吸込口２Ｂの吸込流量に差があったとしても、特段、上記遠心ファンＸ２，Ｘ３，Ｘ４，Ｘ５内に機械的な風量可変手段を付設しなくても、上記羽根２０が有効に作動し、低騒音で且つ高効率の良好な換気特性を安価な構成で且つ容易に実現することができるものである。
【００２６】
さらに、この発明にかかる空気調和装置においては、上記外気導入路１３を、上記第１吸込口２Ａ部分をその外側から覆うように配置された通路形成部材１２によって構成しているので、該外気導入路１３をよりコンパクト且つ安価に形成することができ、延いては空気調和装置の低コスト化が促進されるものである。
【００２７】
また、この発明にかかる空気調和装置においては、上記遠心ファンＸ２，Ｘ３，Ｘ４，Ｘ５の内部空室４２内に、該内部空室４２を、上記第１吸込口２Ａに臨む第１内部空室４２Ａと上記第２吸込口２Ｂに臨む第２内部空室４２Ｂとに区画するとともに、該第１内部空室４２Ａと第２内部空室４２Ｂとの容積比率を変更可能とする仕切板３１を備えているので、上記第１吸込口２Ａから吸い込まれる外気量と上記第２吸込口２Ｂから吸い込まれる室内からのリターン空気量との比率、即ち、空調運転時における換気特性が、上記仕切板３１の設定位置、即ち、該仕切板３１により区画された上記第１吸込口２Ａ側の第１内部空室４２Ａと上記第２吸込口２Ｂ側の第２内部空室４２Ｂとの容積比により任意に且つ容易に設定可能であり、より快適な空調が実現されるとともに、上記仕切板３１によって上記第１内部空室４２Ａ側を流れる外気と上記第２内部空室４２Ｂ側を流れるリターン空気との間での相互干渉が防止されることで該外気量とリターン空気量との比率に支配される換気特性がより安定的に確保されるものである。
【発明の実施の形態】
【００２８】
以下、本願発明を好適な実施形態に基づいて具体的に説明する。
【００２９】
第１の実施形態
図１には、本願発明にかかる空気調和装置の実施形態として、天井埋込型の室内機Ｚ１を示している。この室内機Ｚ１は、その基本構成を、既述した図１５に示す従来の換気機能を備えた室内機Ｚ０２と同様とし、かかる従来構造のものに、後述する開口率可変機構１５を付設し、これにより、外気導入をより一層効率良く行うことができるようにしたものである。
【００３０】
即ち、この室内機Ｚ１は、天井に埋め込み配置されるケーシング１の下面中央部にグリル４を備えた吸込口２を、また該吸込口２の外側にはこれを囲繞するようにして吹出口３を、それぞれ設けるとともに、上記吸込口２からチャンバー５を介して上記吹出口３に至る通風路４１中に、従来周知の構造をもつ片吸込型の遠心ファンＸ１を、そのファン吸入口１８を上記吸込口２に臨んで配置したベルマウス７に臨ませた状態で配置し、これを上記ケーシング１の天板１Ａ側に取り付けたモーター１１により回転駆動させる如くするとともに、上記遠心ファンＸ１のファン吹出口１９の外側にはこれに対向するようにして、例えば空気改質デバイス等の空気改質部材９と熱交換器１０とをそれぞれ立設配置している。また、上記チャンバー５は、上記ケーシング１の側壁に形成した外気導入口６を介して室外に連通されている。
【００３１】
さらに、この実施形態の室内機Ｚ１においては、上記吸込口２部分に、該吸込口２の開口率を適宜変更可能とする次述の開口率可変機構１５を付設している。この開口率可変機構１５としては、種々の構造が考えられるが、ここではその一例として、図２に示すように、同軸上に重合配置されて適宜相対回動される一対の第１開口板１５Ａと第２開口板１５Ｂとからなるものを採用している。尚、この各開口板１５Ａ，１５Ｂは、上記吸込口２の口径に対応する外形寸法をもつ円板体で構成されている。そして、これら各開口板１５Ａ，１５Ｂには、略扇形の開口１６，１６，・・、同１７，１７，・・がそれぞれ周方向に所定間隔をもって放射状に形成されている。かかる一対の開口板１５Ａ，１５Ｂを同軸上に重ね合わせることで上記開口率可変機構１５が構成され、該開口率可変機構１５においては、上記一対の開口板１５Ａ，１５Ｂを適宜に相対回動させて該第１開口板１５Ａ側の各開口１６，１６，・・と上記第２開口板１５Ｂ側の各開口１７，１７，・・との重合度合いを変化させることで、上記吸込口２の開口率を増減調整するようになっている。因に、この構造例のものにおいては、上記吸込口２の開口率を０パーセントから５０パーセントの範囲において無段階に調整可能となっている。
【００３２】
以上のように、上記吸込口２部分に該吸込口２の開口率を増減設定し得る上記開口率可変機構１５を配置した上記室内機Ｚ１においては、次のような作動状態が得られる。
【００３３】
即ち、空気調和装置が運転され、上記室内機Ｚ１において上記遠心ファンＸ１が回転駆動されると、その吸込・吹出作用により、空気流Ａ１で示すように上記外気導入口６から上記チャンバー５側に外気が導入されるとともに、空気流Ａ２で示すように上記吸込口２を通して室内からのリターン空気が上記チャンバー５側に吸い込まれる。そして、この導入外気とリターン空気とは、混合状態で上記遠心ファンＸ１のファン吸入口１８から吸い込まれ且つそのファン吹出口１９から吹き出されるが、その際、これが上記空気改質デバイス９を通過する際に脱臭等の改質作用が行われるとともに、上記熱交換器１０を通過する際にその内部循環の冷媒との間での熱交換により温度調整が行われ、最終的に温風あるいは冷風として、空気流Ａ３で示すように、上記吹出口３から室内へ吹き出されることで室内の暖房あるいは冷房が行われるものである。
【００３４】
このように、リターン空気の吸込と並行して外気導入が行われることで、室内の換気が適宜行われ、快適な室内空調が実現されるものであるが、この場合、上記開口率可変機構１５によって上記吸込口２の開口率を適宜変更することで、室内の空気状態等に対応した換気特性を得ることができ、室内空調の快適性がより一層高められるものである。即ち、例えば、上記開口率可変機構１５によって上記吸込口２の開口率を５０パーセントに設定した状態では、外気量とリターン空気量の比率がほぼ半々となり通常の換気併用の空調が行われるが、この吸込口２の開口率を例えば２５パーセントに設定すると、該吸込口２の開口率の減少に伴って上記リターン空気量が減少するのに対応して、外気の導入効率が高まり導入される外気量が相対的に増加し、換気作用を重視した空調が実現される。かかる空調特性は、例えば室内空気の汚染が進み、それに対応して室内居住者の換気要求が高まったような場合に好適である。
【００３５】
尚、上記開口率可変機構１５による上記吸込口２の開口率の調整方法としては、必要に応じて手動又は電動にて調整する方法とか、臭気センサ等の出力に基づいて室内空気の汚染程度に対応して電動にて調整する方法等、種々の方法が適用できる。また、上記開口率可変機構１５としては、上記実施形態のような構成の外に、例えば短冊状の板片を用いてブラインド状の形態に構成するとともにこれら各板片をその板厚方向に回動可能とし、該各板片の回動量を適宜調整することで上記吸込口２の開口率を、ほぼ１００パーセントから０パーセントまでの広い範囲において調整可能とするもの等、種々の構成が適用可能である。
【００３６】
第２の実施形態
図３には、本願発明にかかる空気調和装置の実施形態としての天井埋込型の室内機Ｚ２を示している。この室内機Ｚ２は、天井に埋め込み配置されるケーシング１を備えている。このケーシング１は、その天井壁部を、所定間隔をもって上下方向に対向配置された一対の天板１Ａと天板１Ｂとからなる二重壁構造とし、これら上下一対の天板１Ａ，１Ｂのうち、下側に位置する上記天板１Ａの中央部には、その周縁部をベルマウス８とした第１吸込口２Ａが形成されている。そして、この第１吸込口２Ａは、上記一対の天板１Ａ，１Ｂ間の壁間空間で構成される外気導入路１３を介して室外へ連通されている。また、上記ケーシング１の下面中央部にはグリル４及びベルマウス７がそれぞれ備えられた第２吸込口２Ｂが形成されるとともに、該第２吸込口２Ｂの外側にはその周囲を囲繞するようにして吹出口３が設けられている。
【００３７】
従って、かかる構成をもつ上記ケーシング１においては、上記第１吸込口２Ａ及び第２吸込口２Ｂの双方から上記吹出口３に至る通風路４１がその内部に形成されることになる。そして、このケーシング１の通風路４１内には、上記第１吸込口２Ａと第２吸込口２Ｂとを取り囲むようにして空気改質デバイス９と熱交換器１０とが対向状態で立設配置されるとともに、これら両者の径方向内側には、次述する遠心ファンＸ２が配置されている。
【００３８】
上記遠心ファンＸ２は、図４及び図５に示すように、その軸心部に第１ファン吸入口２３が設けられた第１シュラウド２１と、その軸心部に第２ファン吸入口２４が設けられた第２シュラウド２２とを、該第１ファン吸入口２３と第２ファン吸入口２４とが同軸上に位置し且つこれらが軸方向において所定間隔をもって対向するようにして配置し、これら両者の対向空間の外周部をファン吹出口２５としている。また、上記ファン吹出口２５には、上記一対のシュラウド２１，２２間に跨がってその軸方向に延びる複数枚の羽根２０，２０，・・を、該ファン吹出口２５の周方向に沿って放射状に配置している。さらに、上記第１シュラウド２１と第２シュラウド２２の軸方向中間位置には、ボス２８から放射状に延びる三本の支持杆２７ａ〜２７ｃで構成されるステー２７が設けられている。
【００３９】
このように構成された上記遠心ファンＸ２は、図３に示すように、その第１ファン吸入口２３を上記第１吸込口２Ａに、上記第２ファン吸入口２４を上記第２吸込口２Ｂに、それぞれ臨ましめる如くその軸方向を上下方向に向けて配置されるとともに、上記ボス２８に上記モーター１１の回転軸１１ａを軸着することで該モーター１１側に取り付けられ、該モーター１１によって回転駆動されるようになっている。
【００４０】
このように両吸込型の遠心ファンＸ２を備えて構成された室内機Ｚ２においては、次のような作動状態が得られる。
【００４１】
即ち、空気調和装置が運転され、上記室内機Ｚ２において上記遠心ファンＸ２が回転駆動されると、その吸込・吹出作用により、空気流Ａ１で示すように上記外気導入口６から上記遠心ファンＸ２の第１ファン吸入口２３側に外気が導入されるとともに、空気流Ａ２で示すように上記吸込口２を通して室内からのリターン空気が上記第２ファン吸入口２４側に吸い込まれる。そして、この導入外気とリターン空気とは、混合状態で上記遠心ファンＸ２のファン吹出口２５から吹き出される。この際、この空気流が上記空気改質デバイス９等を通過する際に脱臭等の改質作用が行われるとともに、上記熱交換器１０を通過する際にその内部循環の冷媒との間での熱交換により温度調整が行われ、最終的に温風あるいは冷風として、空気流Ａ３で示すように、上記吹出口３から室内へ吹き出されることで室内の暖房あるいは冷房が行われるものである。
【００４２】
このように、リターン空気の吸込と並行して外気導入が行われることで、室内の換気が適宜行われ、快適な室内空調が実現されるものである。そして、この場合、上記遠心ファンＸ２が両吸込型ファンであって、該遠心ファンＸ２の上下にそれぞれ設けた二つのファン吸入口２３，２４からそれぞれ外気とリターン空気とが吸い込まれるものであることから、外気とリターン空気との間における干渉がほとんどなく、外気量とリターン空気量との比率、即ち、換気特性が安定したものとなる。
【００４３】
一方、図６には、上記遠心ファンＸ２の変形例としての遠心ファンＸ３を示している。この遠心ファンＸ３は、上記遠心ファンＸ２の構成を基本とし、かかる構成において、上記第１ファン吸入口２３の内側に補助ファン１４を付設して構成されている。ここで、この補助ファン１４は、該遠心ファンＸ３が送風作用を発揮する正転時には吸い込み作用を為す一方、該遠心ファンＸ３の逆転時には吹出作用を為すように構成された軸流ファン又は斜流ファンとされる。
【００４４】
従って、この補助ファン１４を備えた遠心ファンＸ３においては、該遠心ファンＸ３の正転時には、該遠心ファンＸ３に備えられた上記羽根２０による遠心送風作用に、上記補助ファン１４による送風作用が加算され、該補助ファン１４を備えない場合に比して、吹出風の静圧をより高めることができ、それだけ送風能力の向上を図ることができる。これに対して、上記遠心ファンＸ３の逆転時には、該遠心ファンＸ３はほとんど送風作用を為さないが、上記補助ファン１４は、空気流Ａ４で示すように、上記室内機Ｚ３の内部空室４２側の空気を上記第１吸込口２Ａから吹き出す排気作用を為す。この結果、上記補助ファン１４を備えた遠心ファンＸ３を上記室内機Ｚ２に適用することで、上記遠心ファンＸ３の正転時には外気導入による換気作用をもった快適な空調特性が確保される一方、上記遠心ファンＸ３の逆転時には、図３に空気流Ａ４で示すように、室内空気の排気が行われることから、空調の快適性がさらに促進されるとともに、該室内機Ｚ２の多機能化による付加価値がさらに高まることになる。
【００４５】
第３の実施形態
図７には、本願発明にかかる空気調和装置の実施形態としての天井埋込型の室内機Ｚ３を示している。この室内機Ｚ３は、上記第２の実施形態にかかる室内機Ｚ２を基本構成としつつ、該室内機Ｚ２よりもさらにその形態のコンパクト化と低コスト化を図ったものである。即ち、この実施形態の室内機Ｚ３においては、上記ケーシング１の天井壁部を天板１Ａと天板１Ｂとからなる二重壁構造とし、これら両者の壁間空間で上記外気導入路１３を構成していたのに対して、上記ケーシング１の天井壁部は従来構造と同様に、一枚の天板１Ａで構成し、この天板１Ａに上記第１吸込口２Ａを形成するとともに、該天板１Ａの上側に上記第１吸込口２Ａを覆い得る程度の大きさの通路形成部材１２を配置し、この通路形成部材１２の下側空間を上記外気導入路１３として活用するようにしたものである。
【００４６】
尚、この実施形態の室内機Ｚ３においても、上記第２の実施形態における上記室内機Ｚ２の場合と同様の作用効果が得られることは勿論であり、また上記遠心ファンＸ２に代えて、図６に示すように上記補助ファン１４を備えた遠心ファンＸ３を適用できることも勿論である。
【００４７】
第４の実施形態
図８には、本願発明にかかる空気調和装置の実施形態としての天井埋込型の室内機Ｚ４を示している。この室内機Ｚ４は、上記第２の実施形態にかかる室内機Ｚ２を基本構成とし、これに上記第１の実施形態において説明したと同様の構成をもつ開口率可変機構１５を、上記第２吸込口２Ｂ側に配置し、該開口率可変機構１５によって上記第２吸込口２Ｂの開口率を増減調整できるようにしたものである。
【００４８】
このように、上記開口率可変機構１５を上記第２吸込口２Ｂ側に設けることで、該第２吸込口２Ｂの開口率を適宜変更設定して該第２吸込口２Ｂからのリターン空気量を増減変更させ、これにより上記第１吸込口２Ａからの外気量を相対的に増減変更させることができ、その結果、例えば室内空気の汚染状態に対応して換気量の増減を図ることで室内空調の快適性をより一層促進することが可能となるものである。
【００４９】
尚、ここでは、上記開口率可変機構１５を上記第２吸込口２Ｂ側のみに設けたものを一例として示しているが、かかる構成に代えて、例えば上記開口率可変機構１５を上記第１吸込口２Ａ側のみに配置するとか、上記第１吸込口２Ａとか第２吸込口２Ｂの双方にそれぞれ配置する構成を採用することも可能である。
【００５０】
第５の実施形態
図９及び図１０には、本願発明にかかる空気調和装置の実施形態としての天井埋込型の室内機Ｚ５を示している。この室内機Ｚ５は、上記第２の実施形態にかかる室内機Ｚ２を基本構成とするものであって、これと異なる点は、これに備えられる遠心ファンＸ４の構造である。即ち、この室内機Ｚ５において採用した遠心ファンＸ４は、図１１に示すように、上記第１ファン吸入口２３を設けた上記第１シュラウド２１と、上記第２ファン吸入口２４を設けた上記第２シュラウド２２とを対向配置し、且つこれら両者間に複数枚の羽根２０，２０，・・するとともに、その軸方向の略中央位置に上記ステー２７を備えたことを基本構成とし、さらにこの基本構成に次述の仕切板３１を付設して構成されている。
【００５１】
上記仕切板３１は、上記ステー２７の下側位置（即ち、上記ステー２７と上記第２シュラウド２２との中間位置）に、上記各羽根２０，２０，・・の間を縫って配置され且つ該遠心ファンＸ４の軸方向に移動可能とされた板状体で構成されている。従って、上記仕切板３１の付設によって、上記遠心ファンＸ４の内部空室４２は、その軸方向において、上記第１ファン吸入口２３側に臨む第１内部空室４２Ａと、上記第２ファン吸入口２４側に臨む第２内部空室４２Ｂとに区画されることになる。そして、この仕切板３１によって区画された上記第１内部空室４２Ａと第２内部空室４２Ｂの容積比は、該仕切板３１が上下方向（矢印ａ−ｂ方向）へ移動することで変化することになる。
【００５２】
尚、この実施形態においては、上記仕切板３１の移動を上記モーター１１側の構造を工夫することで実現するようにしており、このモーター１１側の具体的な構造例を、図１２及び図１３を参照して説明する。
【００５３】
図１２に示すものは、回転子３５と固定子３６とでなる上記モーター１１の回転軸１１ａを中空軸構造とし、該回転軸１１ａに遠心ファンＸ４のステー２７
上記仕切板３１をそのボス２８を介して固着する一方、該回転軸１１ａの中空内にスライド軸３８を嵌挿配置し、且つ上記回転軸１１ａの外側にコイル３７を設けるとともに、該スライド軸３８の一端に上記仕切板３１をボス３２を介して固着している。かかる構成によれば、上記コイル３７への通電又は通電遮断により、該コイル３７の磁気吸引力と上記仕切板３１側の自重との相対関係により該上記スライド軸３８を軸方向に移動させ、これにより上記仕切板３１の配置位置を上下方向において可変設定可能としたものである。
【００５４】
また、図１３に示すものは、上述の図１２に示すモーター１１と基本構成を同じにするものの、図１２に示すモーター１１においては上記コイル３７を上記回転子３５及び固定子３６の下側（換言すれば、上記仕切板３１に近い側）に配置していたのに対して、上記コイル３７を上記回転子３５及び固定子３６の上側（換言すれば、上記仕切板３１から遠い側）に配置したものであり、その作動は図１２に示すものと同様である。
【００５５】
以上の如き構成をもつ上記遠心ファンＸ４を備えた上記室内機Ｚ５においては、図９に示すように、空気調和装置が運転され、上記室内機Ｚ５において上記遠心ファンＸ４が回転駆動されると、その吸込・吹出作用により、空気流Ａ１で示すように上記外気導入口６から上記遠心ファンＸ４の第１ファン吸入口２３側に外気が導入されるとともに、空気流Ａ２で示すように上記吸込口２を通して室内からのリターン空気が上記第２ファン吸入口２４側に吸い込まれる。そして、この導入外気とリターン空気とは、混合状態で上記遠心ファンＸ４のファン吹出口２５から吹き出される。この際、この空気流が上記空気改質デバイス９を通過する際に脱臭等の改質作用が行われるとともに、上記熱交換器１０を通過する際にその内部循環の冷媒との間での熱交換により温度調整が行われ、最終的に温風あるいは冷風として、空気流Ａ３で示すように、上記吹出口３から室内へ吹き出されることで室内の暖房あるいは冷房が行われるものである。これが基本的な作動である。
【００５６】
かかる基本的に作動に加えて、この実施形態の室内機Ｚ５においては上述のように上記遠心ファンＸ４内に上記仕切板３１を備え、該仕切板３１の配置位置に応じて上記遠心ファンＸ４における上記内部空室４２の上記第１内部空室４２Ａと第２内部空室４２Ｂとの容積比を変更し得るようにしているので、該容積比によって上記第１ファン吸入口２３側からの外気と上記第２ファン吸入口２４側からのリターン空気との風量比が決定され、しかもこの風量比そのものも変更設定可能となる。この結果、上記第１ファン吸入口２３からの外気量と上記第２ファン吸入口２４からのリターン空気量との比率に支配される換気特性を、例えば換気空間の環境条件あるいは室内居住者の好み等に応じて任意に変更設定することができ、この結果、より快適な換気空調が実現されることになる。
【００５７】
尚、上記遠心ファンＸ４には、上記第２の実施形態において説明した遠心ファンＸ３（図６を参照）と同様に、その第１ファン吸入口２３、第２ファン吸入口２４に軸流ファン又は斜流ファンで構成される補助ファン１４を付設して室内空気の廃棄を行わせることもできる。
【図面の簡単な説明】
【図１】  本願発明にかかる空気調和装置の第１の実施形態を示す断面図である。
【図２】  図１に示した開口率可変機構の構造を示す斜視図である。
【図３】  本願発明にかかる空気調和装置の第２の実施形態を示す断面図である。
【図４】  図３に示した空気調和装置に適用される送風ファンの第１の構造例を示す拡大断面図である。
【図５】    図４のＶ−Ｖ縮小矢視図である。
【図６】  図３に示した空気調和装置に適用される送風ファンの第２の構造例を示す拡大断面図である。
【図７】  本願発明にかかる空気調和装置の第３の実施形態を示す断面図である。
【図８】  本願発明にかかる空気調和装置の第４の実施形態を示す断面図である。
【図９】  本願発明にかかる空気調和装置の第５の実施形態を示す断面図である。
【図１０】  図９に示した空気調和装置の動作変化図である。
【図１１】  図９に示した空気調和装置に適用される送風ファンの構造例を示す拡大断面図である。
【図１２】  図１１に示した送風ファンに適用されるモーターの第１の構造例を示す断面図である。
【図１３】  図１１に示した送風ファンに適用されるモーターの第２の構造例を示す断面図である。
【図１４】  従来の空気調和装置の構造を示す断面図である。
【図１５】  従来の空気調和装置の構造を示す断面図である。
【符号の説明】
１はケーシング、２は吸込口、２Ａは第１吸込口、２Ｂは第２吸込口、３は吹出口、４はグリル、５はチャンバー、６は外気導入口、７及び８はベルマウス、９は空気改質デバイス、１０は熱交換器、１１はモーター、１２は通路形成部材、１３は外気導入路、１４は補助ファン、１５は開口率可変機構、１６及び１７は開口、１８はファン吸入口、１９はファン吹出口、２０は羽根、２１は第１シュラウド、２２は第２シュラウド、２３は第１ファン吸入口、２４は第２ファン吸入口、２５はファン吹出口、２７はステー、２８はボス、３１は仕切板、３２はボス、３５は回転子、３６は固定子、３７はコイル、３８はスライド軸、４１は通風路、４２は内部空室、４２Ａは第１内部空室、４２Ｂは第２内部空室、Ａ１は外気流、Ａ２はリターン流、Ａ３は空気流Ａ３、Ｘ１〜Ｘ４は遠心ファン、Ｚ１〜Ｚ５は室内機である。
【図１】
0003924947.tif 000002
【図２】
0003924947.tif 000003
【図３】
0003924947.tif 000004
【図４】
0003924947.tif 000005
【図５】
0003924947.tif 000006
【図６】
0003924947.tif 000007
【図７】
0003924947.tif 000008
【図８】
0003924947.tif 000009
【図９】
0003924947.tif 000010
【図１０】
0003924947.tif 000011
【図１１】
0003924947.tif 000012
【図１２】
0003924947.tif 000013
【図１３】
0003924947.tif 000014
【図１４】
0003924947.tif 000015
【図１５】
0003924947.tif 000016